(57)【要約】本発明は、準ミリ波帯以上の高い周波数帯に占有帯域を有する多重信号を逆多重化し、かつチャネル毎のヘテロダイン検波を可能とする無線受信機に関する。本発明の目的は、構成が大幅に変更されることなく、安価に良好な伝送品質が達成されることにある。そのために、本発明にかかわる無線受信機では、逆多重化と周波数変換との下で得られた個々のチャネルの信号のレベル内、最大であるレベルを基準としてこれらの信号の自動利得制御が並行して行われる。
2004006476.tif 000002
【特許請求の範囲】
【請求項１】
周波数多重化された複数ｎの信号を個別に周波数変換し、これらの信号に個別に対応する複数ｎの第一の出力信号を生成する複数ｎの周波数変換手段と、
前記複数ｎの第一の出力信号の内、レベルが最大である特定の出力信号を選択する選択手段と、
前記特定の出力信号のレベルの偏差が圧縮される値に、前記複数ｎの周波数変換手段の利得を並行して維持する複数ｎの利得制御手段と
を備えたことを特徴とする無線受信機。
【請求項２】
周波数多重化された複数ｎの信号を個別に周波数変換し、これらの信号に個別に対応する複数ｎの第一の出力信号を生成する複数ｎの周波数変換手段と、
前記複数ｎの第一の出力信号のレベルの内、伝送品質が最大である特定の信号のレベルを選択する選択手段と、
前記選択手段によって選択されたレベルと、前記複数ｎの信号の内、前記複数ｎの周波数変換手段の全ての入出力特性が線形と見なされ得る信号の最大のレベルとの差が圧縮される値に、これらの複数ｎの周波数変換手段の利得を個別に維持する複数ｎの利得制御手段と
を備えたことを特徴とする無線受信機。
【請求項３】
請求の範囲１に記載の無線受信機において、
前記複数ｎの第一の出力信号のレベルの変動を個別に抑圧し、これらの第一の出力信号に対応した第二の出力信号を生成する複数ｎのレベル変動抑圧手段を備え、
前記複数ｎの利得制御手段は、
前記複数ｎのレベル変動抑圧手段によってそれぞれ生成された第二の出力信号のレベルが規定の下限値を下回るときに、前記特定の出力信号のレベルに代わるその第二の出力信号のレベルの偏差が圧縮される値に、前記複数ｎの周波数変換手段の利得を個別に維持する
ことを特徴とする無線受信機。
【請求項４】
請求の範囲２に記載の無線受信機において、
前記複数ｎの第一の出力信号のレベルの変動を個別に抑圧し、これらの第一の出力信号に対応した第二の出力信号を生成する複数ｎのレベル変動抑圧手段を備え、
前記複数ｎの利得制御手段は、
前記複数ｎのレベル変動抑圧手段によって個別に生成された第二の出力信号のレベルが規定の下限値を下回るときに、前記選択手段によって選択されたレベルに代わるその第二の出力信号のレベルと、前記複数ｎの信号の内、前記複数ｎの周波数変換手段の全ての入出力特性が線形と見なされ得る信号の最大のレベルとの差が圧縮される値に、これらの複数ｎの周波数変換手段の利得を個別に維持する
ことを特徴とする無線受信機。
【請求項５】
請求の範囲１に記載の無線受信機において、
前記複数ｎの第一の出力信号のレベルの変動を個別に抑圧し、これらの第一の出力信号に対応した第二の出力信号を生成する複数ｎのレベル変動抑圧手段を備え、
前記複数ｎの利得制御手段は、
前記特定の出力信号レベルの偏差が規定の閾値を上回り、かつ前記複数ｎのレベル変動抑圧手段によってそれぞれ生成された第二の出力信号のレベルが規定の下限値を下回るときに、この特定の出力信号のレベルに代わるその第二の出力信号のレベルの偏差が圧縮される値に、前記複数ｎの周波数変換手段の利得を個別に維持する
ことを特徴とする無線受信機。
【請求項６】
請求の範囲２に記載の無線受信機において、
前記複数ｎの第一の出力信号のレベルの変動を個別に抑圧し、これらの第一の出力信号に対応した第二の出力信号を生成する複数ｎのレベル変動抑圧手段を備え、
前記複数ｎの利得制御手段は、
前記選択手段によって選択されたレベルの偏差が規定の閾値を上回り、かつ前記複数ｎのレベル変動抑圧手段によってそれぞれ生成された第二の出力信号のレベルが規定の下限値を下回るときに、この選択手段によって選択されたレベルに代わるその第二の出力信号のレベルと、前記複数ｎの第一の信号の内、前記複数ｎの周波数変換手段の全ての入出力特性が線形と見なされ得る第一の信号の最大のレベルとの差が圧縮される値に、これらの複数ｎの周波数変換手段の利得を個別に維持する
ことを特徴とする無線受信機。
【請求項７】
請求の範囲１に記載の無線受信機において、
前記複数ｎの利得制御手段は、
前記複数ｎの第一の出力信号のＳＮ比の低下が許容される限度において前記複数ｎの周波数変換手段の利得を可変する
ことを特徴とする無線受信機。
【請求項８】
請求の範囲２に記載の無線受信機において、
前記複数ｎの利得制御手段は、
前記複数ｎの第一の出力信号のＳＮ比の低下が許容される限度において前記複数ｎの周波数変換手段の利得を可変する
ことを特徴とする無線受信機。
【請求項９】
請求の範囲１に記載の無線受信機において、
前記複数ｎの利得制御手段は、
所望の雑音指数が確保される限度において前記複数ｎの周波数変換手段の利得を可変する
ことを特徴とする無線受信機。
【請求項１０】
請求の範囲２に記載の無線受信機において、
前記複数ｎの利得制御手段は、
所望の雑音指数が確保される限度において前記複数ｎの周波数変換手段の利得を可変する
ことを特徴とする無線受信機。
【請求項１１】
請求の範囲１に記載の無線受信機において、
前記複数ｎの利得制御手段は、
前記複数ｎの信号で個別に示されるシンボルの列に同期して、前記複数ｎの周波数変換手段の利得を更新する
ことを特徴とす無線受信機。
【請求項１２】
請求の範囲２に記載の無線受信機において、
前記複数ｎの利得制御手段は、
前記複数ｎの信号で個別に示されるシンボルの列に同期して、前記複数ｎの周波数変換手段の利得を更新する
ことを特徴とす無線受信機。
【発明の詳細な説明】
【技術分野】    本発明は、周波数多重化方式に基づいて生成され、かつ準ミリ波帯以上の高い周波数帯に占有帯域を有する多重信号を逆多重化することによって、チャネル毎のヘテロダイン検波を可能とする無線受信機に関する。
【背景技術】  近年、移動通信網の加入者の数が著しく増加し、都市部の周辺に分布する広域についてもサービスエリアの拡大が図られつつある。
従来、このような移動通信網と基幹通信網との間に形成されるべきアクセス系の多くは、周波数多重化方式が適用された多重無線装置が適用されることによって構築されていた。
図５は、従来のアクセス系の構成例を示す図である。
図において、アクセス系は、地理的に隔たった異なる２つのサイトに個別に設置された送信端６０と受信端７０との間に形成される。なお、以下では、送信端６０と受信端７０とについては、簡単のため、それぞれ上述した２つのサイトに個別に設置された多重無線装置に備えられると仮定する。
送信端６０は、下記の要素から構成される。
・  所望の多重度（ここでは、簡単のため、「４」であると仮定する。）に等しい数の送信端局部６１−１〜６１−４
・  これらの送信端局部６１−１〜６１−４の出力にそれぞれ縦続接続されたプランチングフィルタ（ＢＲＦＩＬ）６２−１〜６２−４
・  これらのプランチングフィルタ６２−１〜６２−４の出力に個別に接続された第一ないし第四の端子を有するハイブリッド６３
・  このハイブリッド６３の第五の端子に給電点が接続されたアンテナ６４
受信部は、下記の要素から構成される。
・  アンテナ７１
・  このアンテナ７１の給電点に接続された第一の端子を有するハイブリッド７２
・  このハイブリッドの第二ないし第五の端子にそれぞれ接続された入力を有するプランチングフィルタ７３−１〜７３−４
・  これらのプランチングフィルタ７３−１〜７３−４にそれぞれ縦続接続された受信端局部７４−１〜７４−４
このような構成の送信端６０では、送信端局部６１−１〜６１−４は、それぞれ個別に対応する４つのチャネルを介して並行して伝送されるべき伝送情報で変調され、かつ図６（ａ）に示されるように、占有帯域が周波数軸上で重なることなく隣接した第一ないし第四の無線周波信号を出力する。
プランチングフィルタ６２−１〜６２−４は、それぞれ図６（ｂ）に示す通過域を有し、これらの通過域を介して第一ないし第四の無線周波信号以外の信号を除去する。
ハイブリッド６３は、このような濾波処理の下で並行して与えられ、かつ周波数軸上で隣接すると共に、異なる占有帯域を有する第一ないし第四の信号を周波数多重化することによって送信波信号を生成し、かつアンテナ６４の給電端にその送信波信号を供給する。なお、このようなアンテナ６４から放射される無線周波信号については、以下では、簡単のため、単に「無線周波数信号」という。
一方、受信端７０では、アンテナ７１は、上述したアンテナ６４との間に形成された無線伝送路を介してこのアンテナ６４から到来した無線周波数信号を受信し、かつハイブリッド７２を介してプランチングフィルタ７３−１〜７３−４に並行してこれらの無線周波信号を分配する。
プランチングフィルタ７３−１〜７３−４は、それぞれ送信端６０に備えられたプランチングフィルタ６２−１〜６２−４の通過域と同じ通過域を有する。さらに、プランチングフィルタ７３−１〜７３−４は、このようにして分配された無線周波信号に並行して既述の濾波処理を施すことによってその無線周波信号を逆多重化し、この無線周波信号に周波数多重化されていた第一ないし第四の無線周波信号を並行して抽出する。
受信端局部７４−１〜７４−４は、これらの抽出された第一ないし第四の無線周波信号に「送信端６０に備えられた送信端局部６１−１〜６１−４で行われた処理と逆の処理」を施すことによって、上述した４つのチャネルを介して並行して伝送された伝送情報を復元する。
したがって、送信端６０と受信端７０とがそれぞれ設置されたサイトの間には、周波数多重化方式に基づいて所望の多重度の通信リンクが形成される。
ところで、このような従来例では、アンテナ６４、７１の間に準ミリ波帯以上の高い周波数帯（例えば、１８ギガヘルツ帯）で無線伝送路が形成されるべき場合には、一般に、その周波数帯が高いほど、搬送波周波数に対するプランチングフィルタ６２−１〜６２−４、７３−１〜７３−４の通過域の幅の比（以下、「比帯域」という。）は、大きい。
したがって、プランチングフィルタ６２−１〜６２−４、７３−１〜７３−４については、このような周波数帯が高いほど、先鋭な所望の通過域は技術的に実現が困難となり、あるいは技術的に可能であっても回路規模やコストが増加し、さらに、実装その他にかかわる制約が生じるために容易には実現され難かった。
なお、準ミリ波帯以上の高い周波数帯における上述した無線伝送路の形成は、例えば、図７に示すように、４つの占有帯域の全域に通過域を有するフィルタがプランチングフィルタ６２−１〜６２−４、７３−１〜７３−４として備えられることによって実現され得る。
しかし、このような構成では、実際には、チャネル毎の受信波のレベルが個別に変動し、あるいはこれらのレベルに偏差が生じた場合には、受信端７０に備えられたブランチングフィルタ７３−１〜７３−４と受信端局部７４−１〜７４−４との何れかで行われる自動利得制御（これらのレベルの変動や偏差の圧縮を目的として行われる。）は、これらのレベルの総和を基準として行われる。
すなわち、個々のチャネルの無線周波信号の間には、図８に点線で示すようにチャネル間干渉が生じ、伝送品質が大幅に低下する可能性があった。
また、一般に、上述した移動通信網の設置、保守および運用にかかわるコストについては、上述したサービスエリアが広くなるほど増加し、特に、基幹通信網との間に形成されるべき通信リンクその他のアクセス系のコストの比率が大きくなる。
さらに、移動通信網の加入者に提供されるべきサービスは、ワイドバンドＣＤＭＡ方式に実用化等に伴い、電話系の通信サービスだけではなく、ブロードバンドによる多様な通信サービスにも急速に拡大されつつある。
したがって、このようなアクセス系には、下記の点で有利である準ミリ波帯以上の周波数が適用されることが強く要望されていた。
・  マルチパス等に起因する伝送品質の劣化が生じ難い。
・  伝送品質の確保に必要な伝送路符号化の簡略化や省略が可能である。
・  大きな多重度に対する柔軟な適応に併せて、周波数の再利用が可能である。
【発明の開示】
本発明の目的は、構成が大幅に変更されることなく、準ミリ波帯以上の高い周波数帯における所望の大きな多重度による多重伝送が良好な伝送品質で達成される無線受信機を提供することにある。
また、本発明の目的は、入力される信号に多重化された個々の信号の占有帯域幅に等しい通過域を介する濾波処理の下でその占有帯域が確度高く保全され、チャネル間干渉が確度高く安定に回避される点にある。
さらに、本発明の目的は、伝送品質が高く維持され、かつ無線伝送路や無線ゾーンの多様なプロフィールに対する柔軟な適応が可能となる点にある。
さらに、本発明の目的は、入力される信号に多重化された個々の信号が無用に歪むことなくレベルの格差が軽減され、かつ所望の中間周波信号に変換される点にある。
また、本発明の目的は、ＳＮ比や伝送品質が過度に低下することなく、レベルダイヤグラムや利得の配分にかかわる自由度が高く確保される点にある。
さらに、本発明の目的は、「入力される信号に多重化された個々の信号で個別に与えられるシンボルの周期」に、「周波数変換手段の利得が更新されるべき頻度」が近い値であっても、ＳＮ比や伝送品質が高く維持される点にある。
上述した目的は、周波数多重化された複数ｎの信号が個別に周波数変換されることによって生成された複数ｎの第一の出力信号の内、レベルが最大である特定の出力信号が選択され、その特定の出力信号のレベルの偏差が圧縮される値に、これらの周波数変換を行う手段の利得が並行して維持される点に特徴がある無線受信機によって達成される。
このような無線受信機では、上述した複数ｎの信号は、伝送路、送信端その他の特性、あるいはこれらの特性の変動に起因してレベルの格差が生じた場合であっても、個別に並行して周波数変換され、これらの信号のレベルの内、最大であるレベルを基準として行われる自動利得制御の下でほぼ同じレベルの中間周波信号として与えられ、復調（検波）の対象となる。
また、このような自動利得制御の過程では、上述した周波数変換を行う手段の入出力特性は、上述した複数ｎの信号が入力されるべき標準レベルに適応した好適なレベルダイヤグラムが成立する限り、何れも線形に維持される。
さらに、上述した複数ｎの信号が準ミリ波帯以上の高い周波数帯において異なるレベルで与えられる場合であっても、既述の周波数変換の過程では、これらの複数ｎの信号が個々の占有帯域の比帯域は柔軟に、かつ安定に小さな値となる。
また、上述した目的は、周波数多重化された複数ｎの信号が個別に周波数変換されることによって生成された複数ｎの第一の出力信号のレベルの内、伝送品質が最大である特定の信号のレベルが選択され、そのレベルと、上述した周波数変換を個別に行う手段の全ての入出力特性が線形と見なされ得る既述の複数ｎの信号の最大のレベルとの差が圧縮される値に、これらの手段の利得が並行して維持される点に特徴がある無線受信機によって達成される。
このような無線受信機では、上述した複数ｎの信号は、伝送路、送信端その他の特性、あるいはこれらの特性の変動に起因してレベルや伝送品質に格差が生じた場合であっても、個別に並行して周波数変換され、これらの信号の内、伝送品質が最大である信号のレベルを基準として行われる自動利得制御の下でほぼ同じレベルの中間周波信号として与えられ、復調（検波）の対象となる。
また、このような自動利得制御の過程では、上述した周波数変換を行う手段の入出力特性は、上述した複数ｎの信号が入力されるべき標準レベルに適応した好適なレベルダイヤグラムが成立する限り、何れも線形に維持される。
さらに、上述した複数ｎの信号が準ミリ波帯以上の高い周波数帯において異なるレベルで与えられる場合であっても、既述の周波数変換の過程では、これらの複数ｎの信号が個々の占有帯域の比帯域は、柔軟に、かつ安定に小さな値となる。
さらに、上述した目的は、既述の複数ｎの第一の出力信号のレベルの変動が個別に抑圧されることによってこれらの第一の出力信号に対応した第二の出力信号が生成され、これらの第二の出力信号のレベルが規定の下限値を下回るときに、該当する第二の出力信号のレベルの偏差が圧縮される値に利得が維持される点に特徴がある無線受信機によって達成される。
このような無線受信機では、第二の出力信号が著しく小さい場合には、その第二の出力信号に対応する第一の信号を生成した手段の利得は、他の第一の信号のレベルの如何にかかわらず、局部的に「その第二の出力信号の偏差が抑圧される値」に維持される。
また、上述した目的は、既述の複数ｎの第一の出力信号のレベルの変動が個別に抑圧されることによってこれらの第一の出力信号に対応した第二の出力信号が生成され、これらの第二の出力信号のレベルが規定の下限値を下回るときに、該当する第二の出力信号のレベルと、周波数変換を行う手段の全ての入出力特性が線形と見なされ得るこれらの複数ｎの信号の最大のレベルとの差が圧縮される値に、利得が維持される点に特徴がある無線受信機によって達成される。
このような無線受信機では、第二の出力信号が著しく小さい場合には、その第二の出力信号に対応する第一の信号を生成した手段の利得は、他の第一の信号のレベルの如何にかかわらず、「その第二の出力信号の偏差が抑圧される値」に維持される。
さらに、上述した目的は、既述の複数ｎの第一の出力信号のレベルの変動が個別に抑圧されることによってこれらの第一の出力信号に対応した第二の出力信号が生成され、特定の出力信号レベルの偏差が規定の閾値を上回り、かつこれらの第二の出力信号のレベルが規定の下限値を下回るときに、該当する第二の出力信号のレベルの偏差が圧縮される値に利得が維持される点に特徴がある無線受信機によって達成される。
このような無線受信機では、上述した特定の出力信号レベルの偏差が規定の閾値を上回り、かつ第二の出力信号が著しく小さい場合に限って、その第二の出力信号に対応する第一の信号を生成した手段の利得は、他の第一の信号のレベルの如何にかかわらず、「その第二の出力信号の偏差が抑圧される値」に維持される。
また、上述した目的は、既述の複数ｎの第一の出力信号のレベルの変動が個別に抑圧されることによってこれらの第一の出力信号に対応した第二の出力信号が生成され、既述の選択されたレベルの偏差が規定の閾値を上回り、かつこれらの第二の出力信号のレベルが規定の下限値を下回るときに、該当する第二の出力信号のレベルと、周波数変換を行う手段の全ての入出力特性が線形と見なされ得るこれらの複数ｎの信号の最大のレベルとの差が圧縮される値に、利得が維持される点に特徴がある無線受信機によって達成される。
このような無線受信機では、第二の出力信号が著しく小さい場合には、その第二の出力信号に対応する第一の信号を生成した手段の利得は、他の第一の信号のレベルの如何にかかわらず、「その第二の出力信号の偏差が抑圧される値」に維持される。
さらに、上述した目的は、既述の複数ｎの第一の出力信号のＳＮ比の低下が許容される限度において利得が可変される点に特徴がある無線受信機によって達成される。
このような無線受信機では、何らかの原因により上述した複数ｎの信号の何れかのレベルが他の信号レベルに比べて著しく大きな値、あるいは小さな値となった場合であっても、周波数変換を行う手段は、入出力特性が線形である領域で安定に作動する。
また、上述した目的は、所望の雑音指数が確保される限度において利得が可変される点に特徴がある無線受信機によって達成される。
このような無線受信機では、何らかの原因により上述した複数ｎの信号の何れかのレベルが他の信号レベルに比べて著しく小さな値となった場合であっても、周波数変換を行う手段の利得は、上述した雑音指数が総合的に維持される限度において更新される。
さらに、上述した目的は、既述の複数ｎの信号で個別に示されるシンボルの列に同期して利得が更新される点に特徴がある無線受信機によって達成される。
このような無線受信機では、既述の周波数変換を行う手段の利得は、これらの手段の後段で行われる信号判定の過程で判別されるべき信号点毎に同期した規定の時点で更新される。
【図面の簡単な説明】  図１は、本発明かかわる無線受信機の原理ブロック図である。
図２は、本発明の第一、第二および第四の実施形態を示す図である。
図３は、本発明の第一の実施形態の動作を説明する図である。
図４は、本発明の第三の実施形態を示す図である。
図５は、アクセス系の構築に適用された多重無線装置の構成例を示す図である。
図６は、従来例の動作を説明する図である。
図７は、従来例の課題を説明する図（１）である。
図８は、従来例の課題を説明する図（２）である。
【発明を実施するための最良の形態】  まず、本発明にかかわる無線受信機の原理を説明する。
図１は、本発明かかわる無線受信機の原理ブロック図である。
図１に示す無線受信機は、周波数変換手段１１−１〜１１−ｎ、選択手段１２、１２Ａ、利得制御手段１３−１〜１３−ｎ、１３Ａ−１〜１３Ａ−ｎおよびレベル変動抑圧手段１４−１〜１４−ｎから構成される。
本発明にかかわる第一の無線受信機の原理は、下記の通りである。
複数ｎの周波数変換手段１１−１〜１１−ｎは、周波数多重化された複数ｎの信号を個別に周波数変換し、これらの信号に個別に対応する複数ｎの第一の出力信号を生成する。選択手段１２は、複数ｎの第一の出力信号の内、レベルが最大である特定の出力信号を選択する。複数ｎの利得制御手段１３−１〜１３−ｎは、特定の出力信号のレベルの偏差が圧縮される値に、複数ｎの周波数変換手段１１−１〜１１−ｎの利得を並行して維持する。
すなわち、上述した複数ｎの信号は、伝送路、送信端および上述した周波数変換手段１１−１〜１１−ｎの何れかの特性、あるいはこれらの特性の変動に起因してレベルの格差が生じた場合であっても、個別に並行して周波数変換され、これらの信号のレベルの内、最大であるレベルを基準として行われる自動利得制御の下でほぼ同じレベルの中間周波信号として与えられ、復調（検波）の対象となる。
また、このような自動利得制御の過程では、周波数変換手段１１−１〜１１−ｎの入出力特性は、上述した複数ｎの信号が入力されるべき標準レベルに適応した好適なレベルダイヤグラムが成立する限り、何れも線形に維持される。
さらに、上述した複数ｎの信号が準ミリ波帯以上の高い周波数帯において異なるレベルで与えられる場合であっても、既述の周波数変換の過程では、これらの複数ｎの信号が個々の占有帯域の比帯域は、柔軟に、かつ安定に小さな値となる。
したがって、上述した周波数変換の過程では、既述の占有帯域の幅に等しい通過域を介する濾波処理の下でその占有帯域が確度高く保全され、チャネル間干渉が確度高く安定に回避される。
本発明にかかわる第二の無線受信機の原理は、下記の通りである。
複数ｎの周波数変換手段１１−１〜１１−ｎは、周波数多重化された複数ｎの信号を個別に周波数変換し、これらの信号に個別に対応する複数ｎの第一の出力信号を生成する。選択手段１２Ａは、複数ｎの第一の出力信号のレベルの内、伝送品質が最大である特定の信号のレベルを選択する。複数ｎの利得制御手段１３Ａ−１〜１３Ａ−ｎは、選択手段１２Ａによって選択されたレベルと、複数ｎの信号の内、複数ｎの周波数変換手段１１−１〜１１−ｎの全ての入出力特性が線形と見なされ得る信号の最大のレベルとの差が圧縮される値に、これらの複数ｎの周波数変換手段１１−１〜１１−ｎの利得を個別に維持する。
すなわち、上述した複数ｎの信号は、伝送路、送信端および上述した周波数変換手段１１−１〜１１−ｎの何れかの特性、あるいはこれらの特性の変動に起因してレベルや伝送品質に格差が生じた場合であっても、個別に並行して周波数変換され、これらの信号の内、伝送品質が最大である信号のレベルを基準として行われる自動利得制御の下でほぼ同じレベルの中間周波信号として与えられ、復調（検波）の対象となる。
また、このような自動利得制御の過程では、周波数変換手段１１−１〜１１−ｎの入出力特性は、上述した複数ｎの信号が入力されるべき標準レベルに適応した好適なレベルダイヤグラムが成立する限り、何れも線形に維持される。
さらに、上述した複数ｎの信号が準ミリ波帯以上の高い周波数帯において異なるレベルで与えられる場合であっても、既述の周波数変換の過程では、これらの複数ｎの信号が個々の占有帯域の比帯域は、柔軟に、かつ安定に小さな値となる。
したがって、上述した周波数変換の過程では、既述の占有帯域の幅に等しい通過域を介する濾波処理の下でその占有帯域が確度高く保全され、チャネル間干渉が確度高く安定に回避される。
本発明にかかわる第三の無線受信機の原理は、下記の通りである。
複数ｎのレベル変動抑圧手段１４−１〜１４−ｎは、複数ｎの第一の出力信号のレベルの変動を個別に抑圧し、これらの第一の出力信号に対応した第二の出力信号を生成する。複数ｎの利得制御手段１３−１〜１３−ｎは、複数ｎのレベル変動抑圧手段１４−１〜１４−ｎによってそれぞれ生成された第二の出力信号のレベルが規定の下限値を下回るときに、特定の出力信号のレベルに代わるその第二の出力信号のレベルの偏差が圧縮される値に、複数ｎの周波数変換手段１１−１〜１１−ｎの利得を個別に維持する。
すなわち、レベル変動抑圧手段１４−１〜１４−ｎによって自動利得制御が行われても、その自動利得制御の下で生成された第二の出力信号が著しく小さい場合には、該当する第一の信号を生成した周波数変換手段の利得は、他の第一の信号のレベルの如何にかかわらず、この第一の信号（周波数変換手段）に対応する利得制御手段によって「その第二の出力信号の偏差が抑圧される値」に維持される。
したがって、複数ｎの信号の何れについても、これらの信号のレベルの内、最大であるレベルに基づく自動利得制御の下で個々のレベルの変動分や格差の軽減もしくは圧縮が図られる場合に比べて、伝送品質が高く維持され、かつ無線伝送路や無線ゾーンの多様なプロフィールに対する柔軟な適応が可能となる。
本発明にかかわる第四の無線受信機の原理は、下記の通りである。
複数ｎのレベル変動抑圧手段１４−１〜１４−ｎは、複数ｎの第一の出力信号のレベルの変動を個別に抑圧し、これらの第一の出力信号に対応した第二の出力信号を生成する。複数ｎの利得制御手段１３Ａ−１〜１３Ａ−ｎは、複数ｎのレベル変動抑圧手段１４−１〜１４−ｎによってそれぞれ生成された第二の出力信号のレベルが規定の下限値を下回るときに、選択手段１２Ａによって選択されたレベルに代わるその第二の出力信号のレベルと、複数ｎの信号の内、複数ｎの周波数変換手段１１−１〜１１−ｎの全ての入出力特性が線形と見なされ得る信号の最大のレベルとの差が圧縮される値に、これらの複数ｎの周波数変換手段１１−１〜１１−ｎの利得を個別に維持する。
すなわち、レベル変動抑圧手段１４−１〜１４−ｎによって自動利得制御が行われても、その自動利得制御の下で生成された第二の出力信号が著しく小さい場合には、該当する第一の信号を生成した周波数変換手段の利得は、他の第一の信号のレベルの如何にかかわらず、この第一の信号（周波数変換手段）に対応する利得制御手段によって「その第二の出力信号の偏差が抑圧される値」に維持される。
したがって、複数ｎの信号の何れについても、これらの信号のレベルの内、最大であるレベルに基づく自動利得制御の下で個々のレベルの変動分や格差の軽減もしくは圧縮が図られる場合に比べて、伝送品質が高く維持され、かつ無線伝送路や無線ゾーンの多様なプロフィールに対する柔軟な適応が可能となる。
本発明にかかわる第五の無線受信機の原理は、下記の通りである。
複数ｎのレベル変動抑圧手段１４−１〜１４−ｎは、複数ｎの第一の出力信号のレベルの変動を個別に抑圧し、これらの第一の出力信号に対応した第二の出力信号を生成する。複数ｎの利得制御手段１３−１〜１３−ｎは、特定の出力信号レベルの偏差が規定の閾値を上回り、かつ複数ｎのレベル変動抑圧手段１４−１〜１４−ｎによってそれぞれ生成された第二の出力信号のレベルが規定の下限値を下回るときに、この特定の出力信号のレベルに代わるその第二の出力信号のレベルの偏差が圧縮される値に、複数ｎの周波数変換手段１１−１〜１１−ｎの利得を個別に維持する。
すなわち、選択手段１２によって選択された特定の出力信号のレベルの偏差が規定の閾値を上回り、かつレベル変動抑圧手段１４−１〜１４−ｎが行う自動利得制御の下で、生成された第二の出力信号が著しく小さい場合には、該当する第一の信号を生成した周波数変換手段の利得は、他の第一の信号のレベルの如何にかかわらず、この第一の信号（周波数変換手段）に対応する利得制御手段によって「その第二の出力信号の偏差が抑圧される値」に維持される。
したがって、複数ｎの信号の何れについても、これらの信号のレベルの内、最大であるレベルに基づく自動利得制御の下で個々のレベルの変動分や格差の軽減もしくは圧縮が図られる場合に比べて、伝送品質が高く維持され、かつ無線伝送路や無線ゾーンの多様なプロフィールに対する柔軟な適応が可能となる。
本発明にかかわる第六の無線受信機の原理は、下記の通りである。
複数ｎのレベル変動抑圧手段１４−１〜１４−ｎは、複数ｎの第一の出力信号のレベルの変動を個別に抑圧し、これらの第一の出力信号に対応した第二の出力信号を生成する。複数ｎの利得制御手段１３Ａ−１〜１３Ａ−ｎは、選択手段１２Ａによって選択されたレベルの偏差が規定の閾値を上回り、かつ複数ｎのレベル変動抑圧手段１４−１〜１４−ｎによってそれぞれ生成された第二の出力信号のレベルが規定の下限値を下回るときに、この選択手段１２Ａによって選択されたレベルに代えてその第二の出力信号のレベルと、複数ｎの第一の信号の内、複数ｎの周波数変換手段１１−１〜１１−ｎの全ての入出力特性が線形と見なされ得る第一の信号の最大のレベルとの差が圧縮される値に、これらの複数ｎの周波数変換手段１１−１〜１１−ｎの利得を個別に維持する。
すなわち、選択手段１２によって選択された特定の出力信号のレベルの偏差が規定の閾値を上回り、かつレベル変動抑圧手段１４−１〜１４−ｎが行う自動利得制御の下で、生成された第二の出力信号が著しく小さい場合には、該当する第一の信号を生成した周波数変換手段の利得は、他の第一の信号のレベルの如何にかかわらず、この第一の信号（周波数変換手段）に対応する利得制御手段によって「その第二の出力信号の偏差が抑圧される値」に維持される。
したがって、複数ｎの信号の何れについても、これらの信号のレベルの内、最大であるレベルに基づく自動利得制御の下で個々のレベルの変動分や格差の軽減もしくは圧縮が図られる場合に比べて、伝送品質が高く維持され、かつ無線伝送路や無線ゾーンの多様なプロフィールに対する柔軟な適応が可能となる。
本発明にかかわる第七の無線受信機の原理は、下記の通りである。
複数ｎの利得制御手段１３−１〜１３−ｎは、複数ｎの第一の出力信号のＳＮ比の低下が許容される限度において複数ｎの周波数変換手段１１−１〜１１−ｎの利得を可変する。
すなわち、何らかの原因により複数ｎの信号の何れかのレベルが他の信号レベルに比べて著しく大きな値、あるいは小さな値となった場合であっても、周波数変換手段１１−１〜１１−ｎは、入出力特性が線形である領域において安定に作動する。
したがって、上述した複数ｎの信号は、無用に歪むことなく、レベルの格差が軽減されつつ所望の中間周波信号に変換される。
本発明にかかわる第八の無線受信機の原理は、下記の通りである。
複数ｎの利得制御手段１３Ａ−１〜１３Ａ−ｎは、複数ｎの第一の出力信号のＳＮ比の低下が許容される限度において複数ｎの周波数変換手段１１Ａ−１〜１１Ａ−ｎの利得を可変する。
すなわち、何らかの原因により複数ｎの信号の何れかのレベルが他の信号レベルに比べて著しく大きな値、あるいは小さな値となった場合であっても、周波数変換手段１１Ａ−１〜１１Ａ−ｎは、入出力特性が線形である領域で安定に作動する。
したがって、上述した複数ｎの信号は、無用に歪むことなく、レベルの格差が軽減されつつ所望の中間周波信号に変換される。
本発明にかかわる第九の無線受信機の原理は、下記の通りである。
複数ｎの利得制御手段１３−１〜１３−ｎは、所望の雑音指数が確保される限度において複数ｎの周波数変換手段１１−１〜１１−ｎの利得を可変することを特徴とする。
すなわち、何らかの原因により複数ｎの信号の何れかのレベルが他の信号レベルに比べて著しく小さな値となった場合であっても、周波数変換手段１１−１〜１１−ｎの利得は、上述した雑音指数が総合的に維持される限度において更新される。
したがって、ＳＮ比や伝送品質が過度に低下することなく、周波数変換手段１１−１〜１１−ｎと、これらの周波数変換手段１１−１〜１１−ｎの前段および後段におけるレベルダイヤグラムや利得の配分にかかわる自由度が確保される。
本発明にかかわる第十の無線受信機の原理は、下記の通りである。
複数ｎの利得制御手段１３Ａ−１〜１３Ａ−ｎは、所望の雑音指数が確保される限度において複数ｎの周波数変換手段１１Ａ−１〜１１Ａ−ｎの利得を可変する。
すなわち、何らかの原因により複数ｎの信号の何れかのレベルが他の信号レベルに比べて著しく大きな値となった場合であっても、周波数変換手段１１Ａ−１〜１１Ａ−ｎの利得は、上述した雑音指数が総合的に維持される限度において更新される。
したがって、ＳＮ比や伝送品質が過度に低下することなく、周波数変換手段１１Ａ−１〜１１Ａ−ｎと、これらの周波数変換手段１１Ａ−１〜１１Ａ−ｎの前段および後段におけるレベルダイヤグラムや利得の配分にかかわる自由度が確保される。
本発明にかかわる第十一の無線受信機の原理は、下記の通りである。
複数ｎの利得制御手段１３−１〜１３−ｎは、複数ｎの信号で個別に示されるシンボルの列に同期して、複数ｎの周波数変換手段１１−１〜１１−ｎの利得を更新する。
すなわち、複数ｎの周波数変換手段１１−１〜１１−ｎの利得は、これらの周波数変換手段１１−１〜１１−ｎの後段で行われる信号判定の過程で判別されるべき信号点毎に同期した規定の時点で、更新される。
したがって、複数ｎの信号で個別に与えられるシンボルの周期に「周波数変換手段１１−１〜１１−ｎの利得が更新されるべき頻度」が近い値であっても、ＳＮ比や伝送品質が高く維持される。
本発明にかかわる第十二の無線受信機の原理は、下記の通りである。
複数ｎの利得制御手段１３Ａ−１〜１３Ａ−ｎは、複数ｎの信号で個別に示されるシンボルの列に同期して、複数ｎの周波数変換手段１１Ａ−１〜１１Ａ−ｎの利得を更新する。
すなわち、複数ｎの周波数変換手段１１Ａ−１〜１１Ａ−ｎの利得は、これらの周波数変換手段１１Ａ−１〜１１Ａ−ｎの後段で行われる信号判定の過程で判別されるべき信号点毎に同期した規定の時点で、更新される。
したがって、複数ｎの信号で個別に与えられるシンボルの周期に「周波数変換手段１１Ａ−１〜１１Ａ−ｎの利得が更新されるべき頻度」が近い値であっても、ＳＮ比や伝送品質が高く維持される。
図２は、本発明の第一、第二および第四の実施形態を示す図である。
本実施形態の特徴は、図５に示すプランチングフィルタ７３−１〜７３−４および受信端局部７４−１〜７４−４に代えて図２に示す受信端局部２０−１〜２０−４が備えられ、さらに、共用部３０が備えられた点にある。
受信端局部２０−１は、下記の要素から構成される。
・  図５に示すハイブリッド７２の対応する端子に縦続接続されたＡＧＣ部（ＡＧＣ）２１Ｐ−１、周波数変換部（ＭＩＸ）２２−１、チャネル濾波部（ＦＩＬ）２３−１、２４−１およびＡＧＣ部（ＡＧＣ）２１Ｓ−１
・  ＡＧＣ部２１Ｓ−１の出力と制御入力とに接続された帰還制御部２５−１
・  入力がチャネル濾波部（ＦＩＬ）２３−１の出力に接続され、かつ出力が共用部４０の対応する入力に接続された検波器２６−１
・  入力が共用部４０の出力に接続され、かつ出力がＡＧＣ部２１Ｐ−１の制御入力に接続された制御部２７−１
なお、ＡＧＣ部２１Ｐ−１については、簡単のため、図３に添え文字「１」〜「ｎ」が省略されて示されるように、縦続接続された低雑音増幅器（ＬＮＡ）４１Ｐ−１、可変減衰器（ＶＡＴＴ）４２Ｐ−１、低雑音増幅器（ＬＮＡ）４１Ｓ−１、可変減衰器（ＶＡＴＴ）４２Ｓ−１および低雑音増幅器（ＬＮＡ）４１Ｔ−１から構成されると仮定する。
また、ＡＧＣ部２１Ｓ−１については、簡単のため、図３に添え文字「１」〜「ｎ」が省略されて示されるように、縦続接続された増幅器（ＡＭＰ）４３Ｐ−１、可変減衰器（ＶＡＴＴ）４４Ｐ−１、増幅器（ＡＭＰ）４３Ｓ−１、可変減衰器（ＶＡＴＴ）４４Ｓ−１、増幅器（ＡＭＰ）４３Ｔ−１、可変減衰器（ＶＡＴＴ）４４Ｔ−１、音増幅器（ＡＭＰ）４３Ｑ−１、可変減衰器（ＶＡＴＴ）４４Ｑ−１および増幅器（ＡＭＰ）４３Ｑｕｉ−１から構成されると仮定する。
さらに、受信端局部２０−２〜２０−４の構成については、受信端局部２０−１の構成と同じであるので、以下では、対応する要素に添え番号として「２」〜「４」がそれぞれ付加された共通の符号を付与し、ここでは、その説明を省略する。
共用部３０は、受信端局部２０−１〜２０−４にそれぞれ備えられた検波器２６−１〜２６−４の出力に個別にアノードが接続され、かつカソードがこれらの受信端局部２０−１〜２０−４に備えられた制御部２７−１の入力に接続された４つのダイオード３１−１〜３１−４から構成される。
［実施形態１］
図３は、本発明の第一の実施形態の動作を説明する図である。
以下、図２および図３を参照して本発明の第一の実施形態の動作を説明する。
なお、以下では、受信端局部２０−１〜２０−４に共通の事項については、これらの受信端局部２０−１〜２０−４に対応する添え番号「１」〜「４」に代えて、これらの添え番号「１」〜「４」の何れにも該当し得ることを示す添え文字「ｃ」を用いて記述する。
受信端局部２０−ｃでは、周波数変換部２２−ｃおよびチャネル濾波部２３−ｃは、図５に示すハイブリッド７２を介して分配され、かつＡＧＣ部２１Ｐ−ｃを介して与えられた無線周波数信号を下記の条件が成立する方式に基づいて周波数変換することによって、中間周波信号を生成する。
・  「上述した無線周波数信号に周波数多重化された第一ないし第四の無線周波信号の内、テロダイン検波の対象となるべき単一の特定の無線周波信号の占有帯域に対して、チャネル濾波部２３−ｃの通過域が精度よく設定される程度」に比帯域が小さな値となる周波数帯に、中間周波信号の周波数が生成される。
・  ＡＧＣ部２１Ｓ−ｃの後段で施されるべき所定の信号処理に、この中間周波信号が適合する。
・  所望の映像周波数選択度および実効選択度（感度抑圧効果、混変調および相互変調を含む。）が総合的に達成される。
なお、チャネル濾波部２３−ｃ、２４−ｃの通過域は、何れも上述した特定の無線周波信号の占有帯域に設定されると仮定する。
ＡＧＣ部２１Ｓ−ｃは、チャネル濾波部２３−ｃ、２４−ｃを介して与えられ、かつ上述した特定の無線周波信号に対応する中間周波信号（以下、「特定の中間周波信号」という。）を増幅し、かつ後段（復調、信号判定その他の処理を行う。）に引き渡す。
帰還制御部２５−ｃは、このようにして後段に引き渡される特定の中間周波信号のレベルを監視し、かつ規定のレベルダイヤグラムに基づいて設定された基準のレベルとその特定の中間周波信号のレベルとの差が圧縮される値に、上述したＡＧＣ部２１Ｓ−ｃの利得を維持する。
一方、検波器２６−ｃは、チャネル濾波部２３−ｃの出力端に得られた特定の中間周波信号を包絡線検波し、かつ平滑することによって、その特定の中間周波信号のレベルに比例した電位を瞬時値として有するモニタ信号を生成する。
共用部３０に備えられたダイオード３１−１〜３１−４は、受信端局部２０−１〜２０−４に個別に備えられた検波器２６−１〜２６−４によって既述の通りに並行して与えられる第一ないし第四のモニタ信号の瞬時値の内、最大の瞬時値を選択し、これらの最大の瞬時値の列からなる帰還信号を生成する。
受信端局部２０−ｃでは、制御部２７−ｃは、規定のレベルダイヤグラムに基づいて予め設定され、かつ上述した瞬時値がとるべき標準値と上述した帰還信号の瞬時値との差が圧縮される値に、ＡＧＣ部２１Ｐ−ｃの利得を維持する。
すなわち、受信端局部２０−ｃでは、初段に配置されたＡＧＣ部２１Ｐ−ｃの入力端から最終段に配置されたＡＧＣ部２１Ｓ−ｃの入力端に至る区間の総合利得は、受信端局部２０−１〜２０−４によって個別に抽出され、かつ特定の中間周波信号に変換されるべき異なる特定の無線周波信号のレベルの内、最大であるレベルの偏差が圧縮される値に維持される。
したがって、本実施形態によれば、無線周波信号の周波数が準ミリ波帯以上の高い周波数であり、その無線周波信号に周波数多重化された個々の無線周波信号のレベルが異なり、あるいは変動し得る場合であっても、図３の下部に実線、点線および破線の折れ線で示すように、受信端局部２０−１〜２０−４の各段はレベルダイヤグラムが過度に小さな値に変更されることなく線形な領域に維持され、かつチャネル間干渉が確度高く安定に回避される。
［実施形態２］
以下、本発明の第二の実施形態について説明する。
本実施形態では、共用部３０は既述のダイオード３１−１〜３１−４が備えられることなく構成される。
以下、図２を参照して本発明の第二の実施形態の動作を説明する。
本実施形態の特徴は、共用部３０と、受信端局部２０−ｃに備えられた制御部２７−ｃとによって行われる下記の処理の手順にある。
共用部３０は、検波器２６−１〜２６−４によって既述の通りに並行して与えられた第一ないし第四のモニタ信号で示される個々の信号点について、規定の信号点配置の下で信号空間上における誤差の平均値を求める。
さらに、共用部３０は、これらの第一ないし第四のモニタ信号の内、下記の条件が成立するモニタ信号の有無を判別し、その判別が偽である期間には、既述の第一の実施形態においてダイオード３１−１〜３１−４によって行われる処理に等価な処理を行うことによって、帰還信号を生成する。
・  上述した誤差の平均値が規定の上限値未満である。
・  規定のレベルダイヤグラムに基づいて予め与えられ、かつ受信端局部２０−１〜２０−４が線形領域において所望のＳＮ比が確保されつつ作動し得るダイナミックレンジに属するレベルを有する。
また、上述した判別の結果が真である期間には、共用部３０は、これらの条件が成立するモニタ信号の内、レベルが最大である特定のモニタ信号を選択し、その特定のモニタ信号の瞬時値の先頭値の列として、帰還信号を生成する。
一方、受信端局部２０−ｃでは、制御部２７−ｃは、既述の判別の結果が偽である期間には、第一の実施形態と同様に、帰還信号の瞬時値がとるべき標準値とその帰還信号の瞬時値との差が圧縮される値に、ＡＧＣ部２１Ｐ−ｃの利得を維持する。
また、このような判別の結果が真である期間には、制御部２７−ｃは、上述したダイナミックレンジの上限値と、帰還信号の瞬時値との差が圧縮される値に、ＡＧＣ部２１Ｐ−ｃの利得を維持する。
すなわち、受信端局部２０−ｃでは、初段に配置されたＡＧＣ部２１Ｐ−ｃの入力端から最終段に配置されたＡＧＣ部２１Ｓ−ｃの入力端に至る区間の総合利得は、受信端局部２０−１〜２０−４によって個別に抽出され、かつ中間周波信号に変換されるべき異なる特定の無線周波信号の内、伝送品質が最も高い無線周波信号のレベルに対する偏差が圧縮される値に維持される。
したがって、本実施形態によれば、このような偏差が上述した異なる特定の無線周波信号の内、単にレベルが最大である特定の無線周波信号のレベルに基づいて決定される既述の第一の実施形態に比べて、受信端局部２０−１〜２０−４の各段は線形な領域に確度高く維持され、かつチャネル間干渉が安定に回避される。
なお、上述した各実施形態では、制御部２７−ｃは、既述の無線周波信号や帰還信号と何ら同期をとることなくＡＧＣ部２１Ｐ−ｃの利得を更新している。
しかし、本発明はこのような構成に限定されず、例えば、共用部３０によって選択された特定のモニタ信号とのシンボル単位の同期の下でＡＧＣ部２１Ｐ−ｃの利得が更新されることによって、伝送品質の無用な劣化や低下が回避されてもよい。
［実施形態３］
図４は、本発明の第三の実施形態を示す図である。
本実施形態には、図２に示す受信端局部２０−１〜２０−４に代えて受信端局部５０−１〜５０−４が備えられる。
受信端局部５０−１の構成は、図２に示す制御部２７−１の前段に選択部５１−１が備えられ、その選択部５１−１の第一ないし第三の入力に、それぞれ共用部３０、帰還制御部２５−１および検波器２６−１の出力が接続された点を除いて、上述した受信端局部２０−１の構成と同じである。
なお、受信端局部５０−２〜５０−４の構成については、受信端局部５０−１の構成と同じであるので、以下では、対応する要素に添え番号「１」に代わる添え番号「２」〜「４」が付加された同じ符号を付与し、ここでは、その詳細な説明を省略する。
以下、図４を参照して本発明の第三の実施形態の動作を説明する。
なお、受信端局部５０−１〜５０−４に共通の事項については、これらの受信端局部５０−１〜５０−４に対応する添え番号「１」〜「４」に代えて、これらの添え番号「１」〜「４」の何れにも該当し得ることを示す添え文字「ｃ」を用いて記述する。
受信端局部５０−ｃでは、選択部５１−ｃは、下記の処理を行う。
（１）共用部３０によって生成された帰還信号の瞬時値Ｌｆ−ｃと、検波器２６−ｃによって与えられるモニタ信号の瞬時値Ｌｐ−ｃと、チャネル濾波部２３−ｃの出力に得られた「特定の中間周波信号」のレベルＬｐ−ｃとを取り込む。
（２）帰還制御部２５−ｃによって既述の通りに監視されたレベルＬｓ−ｃと、上述したレベルＬｐ−ｃ、Ｌｆ−ｃとについて、下記の条件の全てが成立するか否かの判別を行う。
▲１▼  レベルＬｓが「規定のレベルダイヤグラムに基づいて予め設定された下限値」を下回る。
▲２▼  レベルＬｐが「そのレベルダイヤグラムに基づいて予め設定された基準値（例えば、１０デシベル）」以上に亘って上述したレベルＬｆ−ｃを下回るか。
（３）選択部５１−ｃは、このような判別の結果が偽である場合には、上述した帰還信号を選択し、かつ既述の第一または第二の実施形態と同様にその帰還信号を制御部２７−ｃに与える。
（４）しかし、上述した判別の結果が真である場合には、選択部５１−ｃは、上述したモニタ信号を選択し、そのモニタ信号を帰還信号に代えて制御部２７−ｃに与える。
すなわち、制御部２７−ｃは、ＡＧＣ部２１Ｐ−ｃ、周波数変換部２２−ｃおよびチャネル濾波部２３−ｃによって抽出され、かつ「特定の中間周波信号」に変換された「特定の無線周波信号」のレベルが「上述した判別の結果が偽となる程度」に大幅に低下した場合には、共用部３０によって出力された帰還信号ではなく、検波器２６−ｃによって出力されたモニタ信号の瞬時値に基づいてこのレベルの大幅な低下を軽減あるいは圧縮する。
したがって受信端局部５０−１〜５０−４によって個別に逆多重化と周波数変換とが行われるべき第一ないし第四の無線周波信号は、何れもマルチパス等に起因して他の無線周波数信号より大幅に小さなレベルで受信された場合であっても、対応する受信端局部５０−ｃにおいて既述の通りに選択部５１−ｃによって行われる処理の下で個別にそのレベルの低下分が軽減され、あるいは圧縮される。
このように本実施形態によれば、周波数多重された個別のチャネルを介して並行して到来した第一ないし第四の無線周波信号の何れについても、これらの無線周波信号のレベルの内、最大であるレベルに基づく自動利得制御の下で個々のレベルの変動分や格差の軽減もしくは圧縮が図られる場合に比べて、伝送品質が高く維持され、かつ無線伝送路や無線ゾーンの多様なプロフィールに対する柔軟な適応が可能となる。
なお、本実施形態では、選択部５１−ｃは、上述した条件（２）▲１▼、▲２▼の双方が成立するか否かの判別の結果に基づいて、制御部２７−ｃに与えられるべき信号を選択している。
しかし、本発明はこのような構成に限定されず、例えば、上述した判別は、既述のレベルダイヤグラムその他の技術的な要求が損なわれない限り、これらの条件（２）▲１▼、▲２▼の何れか一方のみに基づいて行われることによって、構成および処理の簡略化が図られてもよい。
また、本実施形態では、選択部５１−ｃは、帰還信号に代えて制御部２７−ｃに与えられる信号として上述したモニタ信号のみを選択している。
しかし、本発明はこのような構成に限定されず、例えば、ＡＧＣ部２１Ｓ−ｃによってそのＡＧＣ部２１Ｓ−ｃの後段に与えられる中間周波信号のレベルが過度に低下し得る場合には、選択部５１−ｃが帰還信号に代えて制御部２７−ｃに与えられるべき信号を下記の何れかの処理を行うことによって選択し、かつ伝送品質のさらなる安定な確保が図られてもよい。
・  上述したモニタ信号に代えて、帰還制御部２５−ｃによって監視されたレベルを瞬時値として示す信号（以下、「レベル監視信号」という。）を既述の判別に際して参照し、その判別の結果に基づいて適宜制御部２７−ｃに与える。
・  既述の判別に併せて、そのレベル監視信号で示されるレベルが過度に低下したか否かの判別を行い、この判別の結果が真であるときに該当するレベル監視信号をモニタ信号より優先して制御部２７−ｃに与える。
［実施形態４］
以下、図２および図４を参照して本発明の第四の実施形態の動作を説明する。
本実施形態の特徴は、受信端局部２０−ｃ、５０−ｃに備えられた制御部２７−ｃによって行われる下記の処理にある。
制御部２７−ｃには、下記の条件の全てまたは一部が成立し、かつＡＧＣ部２１Ｐ−ｃに設定されるべき利得の範囲（以下、「規定レンジ」という。）が予め既知の情報として与えられる。
・  受信端局部２０−ｃ、５０−ｃを介して受信されるべき無線周波信号のＳＮ（ＣＮ）比の劣化が許容可能な限度に抑えられる。
・  受信端局部２０−ｃ、５０−ｃの総合的な雑音指数の劣化が許容可能な限度に抑えられる。
・  規定のレベルダイヤグラムの下で各部が線形な領域で作動し、あるいは各部の非線形性に起因して発生する歪みのレベルが許容可能な限度に抑えられる。
制御部２７−ｃは、基本的には既述の第一ないし第三の何れかに既述の通りにＡＧＣ部２１Ｐ−ｃの利得を適宜設定し、かつ更新するが、そのＡＧＣ部２１Ｐ−ｃに設定されるべき新たな利得が上述した規定レンジの範囲を超える場合には、下記の何れか一方の処理を行う。
・  新たな利得の設定を見合わせる。
・  規定レンジの範囲に属する利得の内、その新たな利得に対する誤差が最小である利得をＡＧＣ部２１Ｐ−ｃに設定する。
したがって、本実施形態によれば、上述した規定レンジが適正な精度で予め与えられる限り、下記の全てまたは一部に対する柔軟な適合が図られ、かつ良好な伝送品質が安定に確保される。
・  受信端局部２０−ｃ、５０−ｃの各部の回路方式および特性の偏差
・  送信端と受信端との間に予め設定された総合的なレベルダイヤグラム
・  無線伝送路の伝送特性（無線ゾーンのプロフィール、気象条件その他を含む。）
・  送信端で行われ得る送信電力制御
なお、上述した各実施形態では、ＡＧＣ部２１Ｐ−ｃの利得がフィードバッグ方式に基づいて可変されている。
しかし、本発明はこのような構成に限定されず、例えば、例えば、ＡＧＣ部２１Ｐ−ｃの利得に代えて、あるいはその利得に併せて下記の利得がフィードフォワード方式に基づいて適宜可変されることによって、チャネル毎のレベルの格差が圧縮されてもよい。
・  ＡＧＣ部２１Ｓ−１とチャネル濾波部２４−ｃとの双方もしくは何れか一方の利得
・  ＡＧＣ部２１Ｓ−１またはチャネル濾波部２４−ｃの前段に付加された可変利得増幅器の利得（可変増幅器に代えて可変減衰器が付加された場合には、その可変減衰器の減衰度であってもよい。）
また、上述した各実施形態では、周波数変換部２２−ｃでは、二度に亘って周波数変換を行うことによって、チャネル濾波部２３−ｃ、２４−ｃの通過域がこれらの占有帯域幅に等しい通過域に安価に精度よく設定される程度に小さな値に、個々のチャネルの比帯域が設定されている。
しかし、受信端局部２０−ｃ、５０−ｃでは、チャネル濾波部２３−ｃ、２４−ｃの通過域が既述の通りに設定される限り、周波数変換部２２−ｃと、ＡＧＣ部２１Ｓ−ｃの後段との双方もしくは何れか一方によって行われるべき周波数変換の回数の総和は如何なる値であってもよい。
すなわち、本発明は、ダブルスーパヘテロダイン方式に代えて、ホモダイン検波方式（ダイレクトコンバージョン方式）やトリプルスーバヘテロダイン方式にも同様に適用可能である。
さらに、上述した各実施形態では、受信端局部２０−ｃ、５０−ｃは、その受信端局部２０−ｃ、５０−ｃに個別に対応したチャネルの占有帯域が下記の全ての条件を満たすことを前提として、既述の処理を行っている。
・  周波数軸上で隣接し、かつ周波数多重化される。
・  共通の占有帯域幅を有する。
しかし、本発明は、このようなチャネル構成や周波数配置に限定されず、例えば、チャネル毎に占有帯域幅が異なる場合には、該当するチャネルの占有帯域における電力（周波数スペクトラム）の密度（平均値）として既述のレベルが算定されることによって実現されてもよい。
また、上述した実施形態では、本発明は、準ミリ波帯以上の無線周波帯における多重無線伝送によるアクセス系の構成に適用されている。
しかし、本発明は、このようなアクセス系に限定されず、例えば、周波数不足の解消を目的として、準ミリ波帯におけるマルチホップおよび周波数再利用が図られたロングスパンの通信リンク（アクセス系）の構築にも適用可能である。
さらに、上述した各実施形態では、「帰還信号、モニタ信号およびレベル監視信号の瞬時値が何れも対応する無線周波信号や中間周波信号のレベルに比例すること」を前提として、ＡＧＣ部２１Ｐ−１の利得が制御部２７−ｃによって設定され、かつ適宜更新されている。
しかし、本発明はこのような構成に限定されず、例えば、これらの帰還信号、モニタ信号およびレベル監視信号の何れについても、上述した条件が成立しないには、その条件を満たす変換処理が下記の全てまたは一部によって行われてもよい。
・  帰還信号、モニタ信号、レベル監視信号にそれぞれ対応する共用部３０、検波器２６−ｃ、帰還制御部２５−ｃ
・  制御部２７−ｃ
・  選択部５１−ｃ
また、上述した各実施形態では、受信端局部２０−ｃ、５０−ｃと共用部３０との何れもが専用のハードウェアとして構成されている。
しかし、これらの受信端局部２０−ｃ、５０−ｃと共用部３０との双方または何れか一方の全てまたは一部は、既述の処理に等価な処理を実現するソフトウェアが組み込まれた汎用のプロセッサ（ＤＳＰであってもよい。）として構成されてもよい。
さらに、上述した各実施形態では、受信端局２０−ｃ、５０−ｃには、周波数多重化され、かつ個別に位相変調された複数（＝４）の無線周波信号が並行して入力されている。
しかし、これらの無線周波信号の生成に際して適用され得る変調方式は、位相変調方式に限定されず、ＡＧＣ部２１Ｐ−ｃの利得が更新されることに起因する伝送品質の劣化（信号点の誤差）が許容される程度に小さく、あるいはその伝送品質の劣化を十分に軽減する信号判定や伝送路復号化その他技術が別途適用される限り、例えば、ＱＡＭのように、信号空間上における全ての信号点とその信号空間の原点との間の距離が共通ではない多様な変調方式の適用が可能である。
また、本発明は、上述した実施形態に限定されるものではなく、本発明の範囲において多様な形態による実施形態が可能であり、かつ構成装置の一部もしくは全てに如何なる改良が施されてもよい。
【産業上の利用の可能性】
上述したように本発明に第一および第二の無線受信機では、多重化された個々の信号の占有帯域幅に等しい通過域を介する濾波処理の下でその占有帯域が確度高く保全され、チャネル間干渉が確度高く安定に回避される。
また、本発明にかかわる第三ないし第六の無線受信機では、伝送品質が高く維持され、かつ無線伝送路や無線ゾーンの多様なプロフィールに対する柔軟な適応が可能となる。
さらに、本発明にかかわる第七および第八の無線受信機では、多重化された個々の信号は、無用に歪むことなくレベルの格差が軽減されつつ所望の中間周波信号に変換される。
また、本発明にかかわる第九および第十の無線受信機では、ＳＮ比や伝送品質が過度に低下することなく、レベルダイヤグラムや利得の配分にかかわる自由度が確保される。
さらに、本発明にかかわる第十一および第十二の無線受信機では、多重化された個々の信号で個別に与えられるシンボルの周期に、「周波数変換を行う手段の利得が更新されるべき頻度」が近い値であっても、ＳＮ比や伝送品質が高く維持される。
したがって、これらの発明が適用された多重伝送系の受信端では、搬送波信号の周波数が準ミリ波帯以上の高い周波数帯に設定された場合であっても、個々のチャネルの占有帯域に適合した狭小な通過域を介する濾波処理の下でこれらのチャネルが忠実に、かつ安価に逆多重化されると共に、所望の中間周波数帯やベースバンド領域において多様な信号処理が柔軟に精度よく実現される。
【図１】
2004006476.tif 000003
【図２】
2004006476.tif 000004
【図３】
2004006476.tif 000005
【図４】
2004006476.tif 000006
【図５】
2004006476.tif 000007
【図６】
2004006476.tif 000008
【図７】
2004006476.tif 000009
【図８】
2004006476.tif 000010
【国際調査報告】
2004006476.tif 000011
2004006476.tif 000012